(57)【要約】  浴槽または流し台等の容器は、容器の内部壁内に埋め込まれた石鹸皿を有する。埋め込まれた石鹸皿は、容器の越流排出路に接続される。石鹸皿は、棒状石鹸を収容するのに十分に大きい。石鹸皿の底内にある越流排出穴は、棒状石鹸が越流排出路内に落下するのを防ぐのに十分に小さい。埋め込まれた石鹸皿は、容器の前部内に置くことができ、それにより、石鹸皿は視野から隠される。流し台の前部は、蛇口に対向する表面である。浴槽の前部は、入浴者が浴槽に入るために跨ぐ表面である。【選択図】図２
2018514351.tif 000002
【特許請求の範囲】
【請求項１】
液体を保持するための容器であって、
開口を有する内壁と、
前記内壁に接続され、かつ前記内壁内に空洞を画定するように前記開口を密閉する空洞壁であって、前記空洞は棒状石鹸を収容するように構成される、空洞壁と、
前記液体が出て行くことを可能にするために前記空洞壁内に形成された排出穴であって、前記排出穴は、前記開口より少なくとも１つの寸法において狭い、排出穴と、
を備える、容器。
【請求項２】
前記内壁は、その中に形成されたさらなる排出穴を有し、前記さらなる排出穴は前記排出穴より低く設置される、請求項１に記載の容器。
【請求項３】
頂部表面をさらに備え、前記頂部表面は前記内壁から外方に延在し、前記頂部表面は、蛇口を収容するためにその中に形成された蛇口切り欠きを有し、前記蛇口切り欠きは前記空洞壁に対向する、請求項１に記載の容器。
【請求項４】
前記空洞は長方形角柱形状である、請求項１に記載の容器。
【請求項５】
前記空洞は平坦な底を有する、請求項１に記載の容器。
【請求項６】
前記排出穴は、前記平坦な底内に形成される、請求項５に記載の容器。
【請求項７】
前記空洞内に配置され、かつ前記排出穴を覆う受け皿をさらに備える、請求項１に記載の容器。
【請求項８】
前記受け皿は、その中に形成された穴を有する、請求項７に記載の容器。
【請求項９】
前記受け皿は金属で作られる、請求項７に記載の容器。
【請求項１０】
前記排出路は越流排出路である、請求項１に記載の容器。
【請求項１１】
前記空洞は、前記さらなる排出穴に対して側方に前記内部壁上に配置される、請求項２に記載の容器。
【請求項１２】
複数の排出穴が、前記液体が出て行くことを可能にするために前記空洞壁内に形成され、前記排出穴は、前記開口より少なくとも１つの寸法において狭い、請求項１に記載の容器。
【請求項１３】
液体を保持するための容器であって、
開口を有する内壁と、
前記内壁に接続され、かつ前記内壁内に空洞を画定するように前記開口を密閉する空洞壁であって、前記空洞は棒状石鹸の寸法より広い、空洞壁と、
前記液体が出て行くことを可能にするために前記空洞壁内に形成された排出穴であって、前記排出穴は前記棒状石鹸の寸法より狭い、排出穴と、
を備える、容器。
【請求項１４】
前記空洞は、前記棒状石鹸の最も広い寸法より広い、請求項１３に記載の容器。
【請求項１５】
前記空洞は、８．３センチメートルより広い、請求項１４に記載の容器。
【請求項１６】
前記空洞は、前記棒状石鹸の最も広い寸法より奥行きがある、請求項１３に記載の容器。
【請求項１７】
前記空洞は、８．３センチメートルより広い、請求項１６に記載の容器。
【請求項１８】
前記排出穴は、前記棒状石鹸の最も狭い寸法より狭い、請求項１３に記載の容器。
【請求項１９】
前記排出穴は、２．５センチメートルより狭い、請求項１８に記載の容器。
【請求項２０】
その中に形成された一次排出穴を有する内壁を含む、液体を保持するための容器において、その改善点は、
前記内壁内に形成された開口と、
前記内壁に接続され、かつ前記内壁内に空洞を画定するように前記開口を密閉する空洞壁であって、前記空洞は棒状石鹸を収容するように構成される、空洞壁と、
を備える。
【発明の詳細な説明】
【技術分野】
【０００１】
本発明の分野は、浴槽および流し台である。
【背景技術】
【０００２】
浴槽および流し台等の、洗い水を保持するための容器は、無数の設計を有する。これらの設計は全て、いくつかの機能的な特徴を共有する。容器は、液体を保持する内部壁を有する。一次排出路とも呼ばれる排出路は、容器の最下部にある。排出路は、容器を満たすために閉じられ、容器を空にするために開けられる。
【０００３】
容器が越流されるのを防ぐために、容器は越流排出路を含む。越流排出路は、一次排出路より上の高さにある内部壁上に設置される。越流排出路は、一次排出路に接続される。もし容器が満たされ過ぎれば、水は容器の頂部の外ではなく越流排出路内に溢れる。流し台においては、越流排出路は、典型的には蛇口の向かい側にある壁内に置かれる。浴槽においては、越流排出路は、典型的には蛇口の下にある内部壁上に置かれる。
【０００４】
石鹸皿は、棒状石鹸を保持するための受け皿である。典型的に、石鹸皿は、浴槽または流し台の縁上に置かれる。石鹸皿自体は、多くの者により見苦しいと考えられている。使用された棒状石鹸および石鹸泡が石鹸皿の上に置かれるときに、石鹸皿の見かけは悪化される。十分な石鹸泡が石鹸皿内に溜まるときに、石鹸泡は浴槽または流し台上に溢れ出て、掃除する必要がある見苦しい汚物を作る。
【０００５】
先行技術についてのこれらの問題点に照らして、隠されるだけでなく排出も必要としない石鹸皿の必要性が存在する。
【発明の概要】
【０００６】
本発明の目的は、先行技術のこの一般的な種類の機器の不利点を克服する、埋め込まれた石鹸皿および越流排出路を有する、液体を保持するための容器を提供することである。
【０００７】
先のおよび他の目的に鑑み、本発明に従い、容器の内部壁内に埋め込まれた石鹸皿を有し、かつ、防臭弁に接続された排出路を有する、液体を保持するための容器が提供されている。
【０００８】
容器は、液体を保持するための密閉された内部壁を含む。容器の内部壁は、概して任意の既存の浴槽または流し台のような形状であり得る。例えば、内部壁は、流し台鉢の場合においては単一の半球状の表面であり、あるいは、長方形切頭体形状の浴槽でのようにいくつかの接続された面で作られることがある。
【０００９】
石鹸皿は、内部壁内に形成されている埋め込まれた空洞である。空洞を創出するために、開口が内壁内に設けられる。空洞壁は、内部壁内に埋め込まれかつ内部壁に接続される。空洞壁は、前記内部壁内に石鹸皿空洞を画定するように開口を密閉する。空洞は、棒状石鹸を収容するように構成される。
【００１０】
越流排出穴は、空洞壁内に形成される。越流排出穴は、容器の越流排出管に接続される。越流排出管は、容器の一次排出路に接続される。
【００１１】
越流排出穴は、容器が越流するのを防ぐために容器を満たすことができる高さを制限するという通常の目的を有する。越流排出穴を石鹸皿凹部内に置くことにより、越流排出穴は視界から隠される。
【００１２】
越流排出穴は、石鹸が使用された後に石鹸泡および水を棒状石鹸から排出するという追加の機能を有する。
【００１３】
石鹸皿は、典型的な棒状石鹸を収容するのに加えて、使用者が空洞内に手を伸ばしてその棒状石鹸を掴み取ることができるための余地を残すのに十分に大きくあるような大きさであるべきである。典型的な棒状石鹸は０．１ｋｇである。棒状石鹸の寸法は、典型的には６．５ｃｍＸ８ｃｍＸ２．５ｃｍである。従って、凹部の寸法は、少なくとも棒状石鹸を収容するのに十分に大きくなければならない。
【００１４】
石鹸皿内の越流排出穴は、棒状石鹸が越流排出路に落下するのを防ぐのに十分に小さくあるべきである。従って、排出穴は、全幅２．５ｃｍより小さくあるべきである。加えて、棒状石鹸が使用されるにつれて石鹸棒の大きさは減少するため、排出穴の大きさはより一層小さくあるべきである。
【００１５】
本発明による容器は、典型的には内部壁の底に一次排出路を有することになる。排出路は、容器を満たすために閉じられる。容器が満ちることを可能にするために、越流排出路は容器の一次排出路より高くあるべきである。
【００１６】
本発明のさらなる目的は、流し台の前に立つ人から隠される埋め込まれた石鹸皿を有する容器を提供することである。流し台の前部は、流し台蛇口の向かい側にある場所として識別することができる。流し台は、蛇口用の切り欠きを有する天板を含み得る。石鹸皿はその後、容器の内部壁内の蛇口の向かい側に設置される。このようにして、石鹸および石鹸上の石鹸泡は、流し台の前方に立っている観察者から隠される。
【００１７】
浴槽の一実施形態においては、石鹸皿空洞を浴槽の前部上に形成することができる。浴槽の前部は、入浴者が浴槽に入るために跨ぐ浴槽の縁として定義される。石鹸皿空洞を浴槽の内部壁の前部上に置くことにより、石鹸皿空洞は部屋内の観察者の視野から隠される。
【００１８】
本発明のさらなる目的は、平坦で水平な底を有する石鹸皿を提供することである。石鹸皿の平坦な底は、その上に石鹸が載る表面を提供し、そのため、石鹸は石鹸皿から容器内に落下しない。石鹸皿の底は概して平坦であるものの、その上に石鹸が載ることができ、かつ、その下に越流する水が流れることができる表面を提供するために、追加の隆起および滑り止めを付加することができる。
【００１９】
一つまたは複数の排出穴は、石鹸皿の平坦な底内に形成することができる。排出穴を石鹸皿の底内に設置することにより、槽内の増大する水が石鹸皿の底に溢れ出て越流排出路に入る。
【００２０】
本発明の目的に従い、空洞は長方形角柱形状であり得る。長方形形状であることにより、長方形の棒状石鹸は空洞内に嵌まることができる。
【００２１】
本発明のさらなる目的は、容易に詰まり得ない越流排出路を提供することである。この目的を達成するために、越流排出穴の上の方にある石鹸皿の底上に穴のあいた金属格子を設置することができる。
【００２２】
本発明のさらなる目的は、越流排出路でもある埋め込まれた石鹸皿を有する容器を提供することである。これらの目的を達成するために、石鹸皿空洞の開口は、保持されることになる棒状石鹸の最も広い寸法より広くなければならない。８．３センチメートルより広い空洞は、典型的な棒状石鹸を収容するのに十分に広いはずである。加えて、空洞壁内に形成された越流排出穴は、棒状石鹸の最も狭い寸法より狭くある必要がある。棒状石鹸より狭くあることにより、棒状石鹸は越流排出路に滑り込むことはできない。２．５センチメートルより狭い排出穴は、典型的な棒状石鹸が越流排出路内に落下するのを防ぐのに十分により狭い。
【００２３】
本発明について特徴的と考えられる他の特徴は、添付の請求の範囲に明記されている。
【００２４】
本発明は、埋め込まれた石鹸皿および統合された越流排出路を有する容器において具現されているものとして例証および記載されているが、請求の範囲の均等物の領域および範囲内に留まりつつ、本発明の精神から逸脱することなく様々な修正および構造的な変更を行うことができるため、本発明はそれらの実施形態に示されている詳細に限定されるべきではない。
【００２５】
本発明の構成および動作の方法ならびに本発明の追加の目的および利点は、付随する図面と関連して読まれる際に、特定の実施形態の以下の記載から最良に理解される。
【図面の簡単な説明】
【００２６】
【図１】図２において線Ｉ−Ｉに沿って取られた、本発明による浴槽の断面上側面図である。
【図２】図１に示されている浴槽の斜視図である。
【図３】図１において線ＩＩＩ−ＩＩＩに沿って取られた浴槽の背面断面図である。
【図４】線ＩＶ−ＩＶに沿って取られた、図１に示されている浴槽の右側断面図である。
【図５】図４に示されている浴槽の部分図である。
【図６】図７において線ＶＩ−ＶＩに沿って取られた流し台の上断面図である。
【図７】図６に示されている流し台の斜視図である。
【図８】線ＶＩＩ−ＶＩＩＩに沿って取られた、図６に示されている流し台の背面断面図である。
【図９】線ＩＸ−ＩＸに沿って取られた、図６に示されている流し台の右側断面図である。
【発明を実施するための形態】
【００２７】
図１〜５は、本発明の第１の好適な実施形態：埋め込まれた石鹸皿および越流排出路を有する浴槽を示している。浴槽は、概して参照番号１０で標示されている。示されている実施形態は、長方形切頭体である内部壁を有する。円錐切頭体および鉢形状等の他の形状が可能である。内部壁は、後壁１１、左壁１２、前壁１３、右壁１４、および底１５により形成される。一次排出穴１６は、底１５内に形成される。底１５は、一次排出穴１６に向かって下方に傾斜する。
【００２８】
石鹸皿２０は、前壁１３内に埋め込まれる。石鹸皿２０は、前壁１３内にある開口の後ろに形成される。好適な実施形態においては、開口２０は長方形であり、空洞は長方形角柱である。空洞壁は、石鹸皿２０の空洞を画定するために前壁１３内に埋め込まれる。空洞壁は、左側石鹸皿壁２２、右側石鹸皿壁２４、石鹸皿頂部２５、および石鹸皿後部２６により形成される。
【００２９】
石鹸皿２０の大きさは、典型的な、０．１ｋｇの大きさの棒状石鹸を収容するのに十分に大きい。石鹸皿後部２６は、好ましくは幅十センチメートル（１０ｃｍ）である。右側石鹸皿壁２４および左側石鹸皿壁２２は、好ましくは奥行八センチメートル（８ｃｍ）である。石鹸皿後部２６、右側石鹸皿壁２４、および左側石鹸皿壁は、好ましくは高さ五センチメートル（５ｃｍ）である。窪み２３は、装飾のために石鹸皿頂部２５に沿って付加される。
【００３０】
図４および５に示されているように、越流排出穴２１は、石鹸皿底２８内に形成される。越流排出穴２１は、好ましくは、０．１ｋｇの棒状石鹸の最も小さい寸法より狭い。越流排出穴２１は、幅２．５ｃｍ、より好ましくは３ｍｍより狭い。石鹸皿水盤２７は、石鹸皿底２８の下にある。越流排出路２９は、石鹸皿水盤２７を一次排出路１６に接続する。
【００３１】
石鹸皿底２８は、好ましくは穴のあいた金属板である。金属板は、越流排出路４９を掃除することを可能にするために取り外し可能である。
【００３２】
石鹸皿２０は、好ましくは浴槽１０の前壁１３内に埋め込まれる。前壁１３は、使用者が浴槽１０に入るために跨ぐ側面として機能上定義される。石鹸皿２０を前壁１３内に置くことにより、石鹸皿２０は浴槽１０の外から可視でない。
【００３３】
図６〜９は、本発明の第２の好適な実施形態：越流排出路４１に接続される埋め込まれた石鹸皿４０を有する流し台３０を示している。
【００３４】
図７は流し台３０を示している。流し台３０は、鉢形状でありかつ内部壁３５を含む。一次排出穴３６は、内部壁３５の底内に形成される。天板５０は、流し台３０の周縁の上の方に置かれる。天板５０は、冷水弁を敷設するための冷水切り欠き５１、熱水弁を敷設するための熱水切り欠き５３、および蛇口を敷設するための蛇口切り欠き５２を有する。
【００３５】
石鹸皿４０は、流し台３０の内部壁３５内に埋め込まれる。石鹸皿４０は、内部壁３５内に作られた開口の後ろに形成される。好適な実施形態においては、石鹸皿４０の開口は長方形であり、空洞は長方形角柱である。空洞壁は、石鹸皿４０の空洞を画定するために流し台３０の内部壁３５内に埋め込まれる。空洞壁は、左側石鹸皿壁４２、右側石鹸皿壁４４、石鹸皿頂部４５、および石鹸皿後部４６により形成される。
【００３６】
石鹸皿４０の大きさは、典型的な、０．１ｋｇの大きさの棒状石鹸を収容するのに十分に大きい。石鹸皿後部４６は、好ましくは幅十センチメートル（１０ｃｍ）である。右側石鹸皿壁４４および左側石鹸皿壁４２は、好ましくは奥行八センチメートル（８ｃｍ）である。石鹸皿後部４６、右側石鹸皿壁４４、および左側石鹸皿壁は、好ましくは高さ五センチメートル（５ｃｍ）である。窪み４３は、装飾のために石鹸皿頂部に沿って付加される。
【００３７】
越流排出穴４１は、石鹸皿底４８内に形成される。越流排出穴４１は、好ましくは、０．１ｋｇの棒状石鹸の最も小さい寸法より狭い。越流排出穴４１は、幅２．５ｃｍ、より好ましくは３ｍｍより狭い。石鹸皿水盤４７は、石鹸皿底４８の下にある。越流排出路４９は、石鹸皿水盤４７を一次排出路３６に接続する。
【００３８】
石鹸皿底４８は、好ましくは穴のあいた金属板である。金属板は、越流排出路４９を掃除することを可能にするために取り外し可能である。
【００３９】
石鹸皿４０は、好ましくは流し台３０の前部内に埋め込まれる。流し台の後部は、冷水切り欠き５１、蛇口切り欠き５２、および熱水切り欠き５３が設置されるところである。石鹸皿４０を流し台３０の前部内に置くことにより、石鹸皿４０は流し台３０の前部から可視でない。
【００４０】
本発明の例は好適な実施形態に示されているものの、好適な実施形態は特許請求の範囲に記載されているとおりの発明に対する限定として読まれるべきではない。
【産業上の利用可能性】
【００４１】
本発明は、浴槽および流し台の製造に適用可能である。
【図１】
2018514351.tif 000003
【図２】
2018514351.tif 000004
【図３】
2018514351.tif 000005
【図４】
2018514351.tif 000006
【図５】
2018514351.tif 000007
【図６】
2018514351.tif 000008
【図７】
2018514351.tif 000009
【図８】
2018514351.tif 000010
【図９】
2018514351.tif 000011
【手続補正書】
【提出日】平成30年4月11日(2018.4.11)
【手続補正１】
【補正対象書類名】明細書
【補正対象項目名】００２６
【補正方法】変更
【補正の内容】
【００２６】
【図１】図２において線Ｉ−Ｉに沿って取られた、本発明による浴槽の断面上側面図である。
【図２】図１に示されている浴槽の斜視図である。
【図３】図１において線ＩＩＩ−ＩＩＩに沿って取られた浴槽の背面断面図である。
【図４】線ＩＶ−ＩＶに沿って取られた、図１に示されている浴槽の右側断面図である。
【図５】図４に示されている浴槽の部分図である。
【図６】図７において線ＶＩ−ＶＩに沿って取られた流し台の上断面図である。
【図７】図６に示されている流し台の斜視図である。
【図８】線ＶＩＩＩ−ＶＩＩＩに沿って取られた、図６に示されている流し台の背面断面図である。
【図９】線ＩＸ−ＩＸに沿って取られた、図６に示されている流し台の右側断面図である。
【手続補正２】
【補正対象書類名】明細書
【補正対象項目名】００３１
【補正方法】変更
【補正の内容】
【００３１】
石鹸皿底２８は、好ましくは穴のあいた金属板である。金属板は、越流排出路２９を掃除することを可能にするために取り外し可能である。
【手続補正３】
【補正対象書類名】特許請求の範囲
【補正対象項目名】全文
【補正方法】変更
【補正の内容】
【特許請求の範囲】
【請求項１】
液体を保持するための容器であって、
その中に形成された開口を有し、かつその中に形成された排出穴を有する内壁と、
前記内壁に接続され、かつ前記内壁内に空洞を画定するように前記開口を密閉する空洞壁であって、前記空洞は棒状石鹸を収容するように構成される、空洞壁と、
前記液体が出て行くことを可能にするために前記空洞壁内に形成された越流排出穴であって、前記排出穴は、前記開口より少なくとも１つの寸法において狭い、越流排出穴と、
前記内壁の下に配置された排出路であって、前記排出路は前記排出穴に接続され、前記排出路は排出管に接続するように構成される、排出路と、
前記越流排出穴および前記排出路を相互接続する越流排出路であって、前記越流排出路は前記内壁の外にある、越流排出路と、
を備える、容器。
【請求項２】
前記排出穴は、前記越流排出穴より低く設置される、請求項１に記載の容器。
【請求項３】
前記容器は頂部表面をさらに備え、前記頂部表面は前記内壁から外方に延在し、前記頂部表面は、蛇口を収容するためにその中に形成された蛇口切り欠きを有し、前記蛇口切り欠きは前記空洞壁に対向する、請求項１に記載の容器。
【請求項４】
前記空洞は長方形角柱形状である、請求項１に記載の容器。
【請求項５】
前記空洞は平坦な底を有する、請求項１に記載の容器。
【請求項６】
前記排出穴は、前記平坦な底内に形成される、請求項５に記載の容器。
【請求項７】
前記空洞内に配置され、かつ前記排出穴を覆う受け皿をさらに備える、請求項１に記載の容器。
【請求項８】
前記受け皿は、その中に形成された穴を有する、請求項７に記載の容器。
【請求項９】
前記受け皿は金属で作られる、請求項７に記載の容器。
【請求項１０】
前記空洞は、さらなる排出穴に対して側方に前記内部壁上に配置される、請求項２に記載の容器。
【請求項１１】
複数の排出穴が、前記液体が出て行くことを可能にするために前記空洞壁内に形成され、前記排出穴は、前記開口より少なくとも１つの寸法において狭い、請求項１に記載の容器。
【請求項１２】
液体を保持するための容器であって、
その中に形成された開口を有し、かつその中に形成された排出穴を有する内壁と、
前記内壁に接続され、かつ前記内壁内に空洞を画定するように前記開口を密閉する空洞壁であって、前記空洞は棒状石鹸の寸法より広い、空洞壁と、
前記液体が出て行くことを可能にするために前記空洞壁内に形成された越流排出穴であって、前記排出穴は前記棒状石鹸の寸法より狭い、越流排出穴と、
前記内壁の下に配置された排出路であって、前記排出路は前記排出穴に接続され、前記排出路は排出管に接続するように構成される、排出路と、
前記越流排出穴および前記排出路を相互接続する越流排出路であって、前記越流排出路は前記内壁の外にある、越流排出路と、
を備える、容器。
【請求項１３】
前記空洞は、前記棒状石鹸の最も広い寸法より広い、請求項１２に記載の容器。
【請求項１４】
前記空洞は、８．３センチメートルより広い、請求項１３に記載の容器。
【請求項１５】
前記空洞は、前記棒状石鹸の最も広い寸法より奥行きがある、請求項１２に記載の容器。
【請求項１６】
前記空洞は、８．３センチメートルより広い、請求項１５に記載の容器。
【請求項１７】
前記排出穴は、前記棒状石鹸の最も狭い寸法より狭い、請求項１２に記載の容器。
【請求項１８】
前記排出穴は、２．５センチメートルより狭い、請求項１７に記載の容器。
【国際調査報告】
2018514351.tif 000012